(57)【要約】      （修正有）【課題】保管時において、周囲の雰囲気やケース自体が放出するガスによるスライドガラスの劣化が抑制された合成樹脂製のスライドガラス用カセットを提供する。【解決手段】スライドガラス用カセットは、合成樹脂で形成されたケース２と、ケースの高さ方向に沿って積み重ねられた状態でケースに収納される複数のスライドガラス５と、ケースに取り付けられる合成樹脂製の帯状のシート６とを備えている。シートは、複数のスライドガラスの長手方向に沿った両端面を覆うように配置されガスによる劣化を抑制する。シートの一部は、ケースの上面部に開設された細長のスリット２４を通ってケースの内部空間から外方に延出した後に曲げられて、スリット２４を通ってケースに戻される。ケースの底部から脱離可能に挿入されたクッション部材７によって、複数のスライドガラスは、ケースの上面部に向かって付勢されている。【選択図】図１
0003185637.tif 000002
【実用新案登録請求の範囲】
【請求項１】
合成樹脂で形成されたケースと、
前記ケースの高さ方向に沿って積み重ねられた状態で前記ケースに収納される複数のスライドガラスと、
抜脱可能に前記ケースに取り付けられる合成樹脂製の帯状のシートと、
を備えており、
前記シートは、前記複数のスライドガラスの長手方向に沿った両端面を覆うように配置されており、
前記シートの一部は、前記ケースの上面部に開設された細長のスリットを通って前記ケースの内部空間から外方に延出した後に曲げられて、前記スリットを通って前記内部空間に戻されており、
使用者が、前記シートの前記一部をつまんで引き上げることで、前記ケースから前記シートが抜脱されるスライドガラス用カセット。
【請求項２】
前記ケースの底部は開口しており、前記ケースの底部から前記ケース内に抜脱可能に挿入されたクッション部材によって、前記複数のスライドガラスは、前記ケースの上面部に向かって付勢されている、請求項１に記載のスライドガラス用カセット。
【請求項３】
合成樹脂で形成されたケースと、
前記ケースの高さ方向に沿って積み重ねられた状態で前記ケースに収納される複数のスライドガラスと、
前記ケースに取り付けられる合成樹脂製の帯状のシートと、
を備えており、
前記シートは、前記複数のスライドガラスの長手方向に沿った両端面を覆うように配置されており、
前記シートの一部は、前記ケースの上面部に開設された細長のスリットを通って前記ケースの内部空間から外方に延出した後に曲げられて、前記スリットを通って前記内部空間に戻されており、
前記ケースの底部は開口しており、前記ケースの底部から前記ケース内に脱離可能に挿入されたクッション部材によって、前記複数のスライドガラスは、前記ケースの上面部に向かって付勢されており、
前記クッション部材を前記ケースから脱離させた後に、使用者が、前記シートの前記一部をつまんで引き上げることで、前記ケースから前記シートが抜脱されるスライドガラス用カセット。
【請求項４】
前記ケースは、第１半体と第２半体を結合させることで構成されており、前記第１半体の上面部の外縁と、前記第２半体の上面部の外縁とによって、前記スリットが画定されている、請求項１乃至３の何れかに記載のスライドガラス用カセット。
【請求項５】
前記ケースは略直方体状に形成されており、前記スリットは、前記複数のスライドガラスの長手方向に沿って、前記ケースの上面部のほぼ中央を通るように開設されている、請求項１乃至４の何れかに記載のスライドガラス用カセット。
【請求項６】
前記シートの両端部は、最下層にあるスライドガラスの下面を覆うように内向きに折り込まれている、請求項１乃至５の何れかに記載のスライドガラス用カセット。
【考案の詳細な説明】
【技術分野】
【０００１】
本考案は、自動標本作製装置やスライドガラス用プリンタなどに着脱自在に装着されるスライドガラス用カセットに関する。
【背景技術】
【０００２】
生物・医療分野で使用されるスライドガラスの中には、一方の主面の端部にフロスト加工が施されたものがある。このようなスライドガラスのフロスト加工部分には、鉛筆やマーカーなどの筆記具を用いて、標本番号や患者名などの整理や保存に必要な情報が使用者によって記入される。
【０００３】
スライドガラスのフロスト加工部分に自動で印字を行う機能を有する自動標本作製装置が各種提案されている(特許文献１及び特許文献２参照)。このような自動標本作製装置には、積層された複数のスライドガラスを収納するスライドガラス用カセットが着脱自在に装着される。カセット(又はそのケース)からスライドガラスが一枚ずつ取り出されて、印字工程や血液などの試料の塗抹工程が自動標本作製装置内にて行われる。
【０００４】
従来の自動標本作製装置では、使用者の手作業によって、複数のスライドガラスがスライドガラス用カセットに収納又は充填されていた。このような作業は煩雑であって、スライドガラスの破損や汚染に繋がることから、複数のスライドガラスが予め充填又は収納された状態でスライドガラス用カセットを使用者に提供することが提案されている(特許文献３参照)。カセットのケースは合成樹脂で形成されており、収納しているスライドガラスが無くなると使用者によって廃棄される。
【先行技術文献】
【特許文献】
【０００５】
【特許文献１】実開平４−２１９５１号
【特許文献２】特表平１１−５０６８２６号
【特許文献３】実用新案登録第３１７５６０２号
【考案の概要】
【考案が解決しようとする課題】
【０００６】
スライドガラスが使用される生物・医療分野の現場では、各種の溶剤が使用されており、飛散した溶剤が現場の雰囲気に含まれていることが多い。一般的なスライドガラスには、親水性を高め、細胞や組織の接着力を向上させるコーティングが施されているが、このような溶剤を含む雰囲気や湿気の多い雰囲気に曝されると、コーティングの機能が低下する事態やスライドガラスが白色に着色する事態が起こる。
【０００７】
特許文献３に開示されているスライドガラス用カセットのケースには、スライドガラスの取り出し機構が最下層のスライドガラスにアクセスするために開設された開口や、取り出されるスライドガラスが排出される排出口などが開設されている、このような開口や排出口を介して周囲の雰囲気がケース内に入り込むことで、ケースに収納されているスライドガラスが上記のように劣化してしまう。
【０００８】
本考案は、このような問題を解決するものであって、保管時において周囲の雰囲気によるスライドガラスの劣化が抑制された合成樹脂製のスライドガラス用カセットを提供する。
【課題を解決するための手段】
【０００９】
本考案のスライドガラス用カセットは、合成樹脂で形成されたケースと、前記ケースの高さ方向に沿って積み重ねられた状態で前記ケースに収納される複数のスライドガラスと、抜脱可能に前記ケースに取り付けられる合成樹脂製の帯状のシートと、を備えており、前記シートは、前記複数のスライドガラスの長手方向に沿った両端面を覆うように配置されており、前記シートの一部は、前記ケースの上面部に開設された細長のスリットを通って前記ケースの内部空間から外方に延出した後に曲げられて、前記スリットを通って前記内部空間に戻されており、使用者が、前記シートの前記一部をつまんで引き上げることで、前記ケースから前記シートが抜脱される。
【００１０】
本考案のスライドガラス用カセットでは、前記ケースの底部は開口しており、前記ケースの底部から前記ケース内に抜脱可能に挿入されたクッション部材によって、前記複数のスライドガラスは、前記ケースの上面部に向かって付勢されてよい。
【００１１】
また、本考案のスライドガラス用カセットは、合成樹脂で形成されたケースと、前記ケースの高さ方向に沿って積み重ねられた状態で前記ケースに収納される複数のスライドガラスと、前記ケースに取り付けられる合成樹脂製の帯状のシートと、を備えており、前記シートは、前記複数のスライドガラスの長手方向に沿った両端面を覆うように配置されており、前記シートの一部は、前記ケースの上面部に開設された細長のスリットを通って前記ケースの内部空間から外方に延出した後に曲げられて、前記スリットを通って前記内部空間に戻されており、前記ケースの底部は開口しており、前記ケースの底部から前記ケース内に脱離可能に挿入されたクッション部材によって、前記複数のスライドガラスは、前記ケースの上面部に向かって付勢されており、前記クッション部材を前記ケースから脱離させた後に、使用者が、前記シートの前記一部をつまんで引き上げることで、前記ケースから前記シートが抜脱される。
【００１２】
本考案のスライドガラス用カセットでは、前記ケースは、第１半体と第２半体を結合させることで構成されており、前記第１半体の上面部の外縁と、前記第２半体の上面部の外縁とによって、前記スリットが画定されてよい。
【００１３】
本考案のスライドガラス用カセットでは、前記ケースは略直方体状に形成されており、前記スリットは、前記複数のスライドガラスの長手方向に沿って、前記ケースの上面部のほぼ中央を通るように開設されてよい。
【００１４】
本考案のスライドガラス用カセットでは、前記シートの両端部は、最下層にあるスライドガラスの下面を覆うように内向きに折り込まれてよい。
【考案の効果】
【００１５】
本考案のスライドガラス用カセットでは、ケースに収納された複数のスライドガラスの長手方向に沿った両端面が保護シートで覆われることで、カセットが製造されてから使用されるまでの間、ケース内のスライドガラスの間に外部の雰囲気が入り込んでスライドガラスが劣化する事態が抑制される。
【００１６】
本考案のスライドガラス用カセットでは、保護シートの一部は、ケースの上面部に開設されたスリットを通って外方に延出した後に曲げられて、スリットを通ってケースに戻されている。これによって、カセットの使用時に、使用者が、保護シートの一部をつまんで引き上げることで、保護シートがケースから容易に抜脱される。
【図面の簡単な説明】
【００１７】
【図１】本考案の実施例であるスライドガラス用カセットの斜視図である。
【図２】図１に示すＡ−Ａ線を含む平面で破断して矢視したスライドガラス用カセットの断面図である。
【図３】本考案の実施例であるスライドガラス用カセットの第１半体の上面図、下面図、裏面図、右側面図、及び左側面図を示す。
【図４】本考案の実施例であるスライドガラス用カセットの第２半体の上面図、下面図、裏面図、右側面図、及び左側面図を示す。
【図５】本考案の実施例であるスライドガラス用カセットの斜視図であって、クッション部材を取った状態を示している。
【図６】図５に示すＢ−Ｂ線を含む平面で破断して矢視したスライドガラス用カセットの断面図である。
【図７】本考案の実施例であるスライドガラス用カセットの斜視図であって、保護シートを完全に抜脱した状態を示している。
【図８】図７に示すＣ−Ｃ線を含む平面で破断して矢視したスライドガラス用カセットの断面図である。
【考案を実施するための形態】
【００１８】
本考案の一実施例であるスライドガラス用カセット(1)について、図を参照して説明する。スライドガラス用カセット(1)は、スライドガラス用プリンタや自動標本作製装置などに着脱自在に装着されるものであって、スライドガラス用プリンタや自動標本作製装置にて印字処理や標本作製処理が施されるスライドガラスを収納するのに使用される。以下、スライドガラス用カセット(1)は、スライドガラス用プリンタ(図示省略)に装着されるとして本考案を説明するが、スライドガラス用カセット(1)が装着される装置は、本考案の作用効果が得られる限りにおいて制限されないことは明らかであろう。
【００１９】
図１は、スライドガラス用プリンタの使用者に提供された状態における、つまり、未使用状態或いは保管状態におけるスライドガラス用カセット(1)の斜視図であり、図２は、図１に示すＡ−Ａ線を含む平面で破断して矢視した断面図である。スライドガラス用カセット(1)は、略直方体状のケース(2)と、ケース(2)内に収納される複数のスライドガラス(5)と、これらスライドガラス(5)を覆う保護シート又は保護フィルム(6)(図１及び図５では２点鎖線で示されている)と、ケース(2)内におけるスライドガラス(5)の動きを規制するクッション部材(7)とを備えている。
【００２０】
複数のスライドガラス(5)は、ケース(2)の高さ方向に沿って積み重ねられた状態でケース(2)に収納されている。ケース(2)には、例えば、１００枚程度のスライドガラス(5)が収納される(添付の図面では、説明のために、スライドガラス(5)の数を減らして図示している)。収納されるケース(2)の底部は開口しており、ケース(2)の両側面部の下側部分からは、スライドガラス(5)を支持するブロック状の支持部(21a)(21b)が内向きに突出している(図５等参照)。ケース(2)の前面部の下側部分には、最下層に配置されているスライドガラス(5)が通過する排出口(22)が開設されている。
【００２１】
図２に示すように、ケース(2)の背面部の下側部分の外縁(23)は、スライドガラス(5)の厚さと同程度だけ両支持部(21a)(21b)の上面から離間しており、スライドガラス用プリンタに設けられた押し部材(8)(図８参照)が、最下層に配置されているスライドガラス(5)の長手方向に沿った端面にケース(2)の背面部側から当接する。押し部材(8)は、支持部(21a)(21b)の間を通って、ケース(2)の前面部に向かって移動して、最下層のスライドガラス(5)を押し出す。排出口(22)から排出されたスライドガラス(5)は、スライドガラス用プリンタに設けられた搬送機構(図示せず)を介して印字機構(図示せず)に送られて、フロスト処理部(51)に印字処理が施される。各スライドガラス(5)のフロスト処理部(51)は、図１において、上面の左端部に設けられている。
【００２２】
ケース(2)は、ポリスチレン樹脂、ＡＢＳ樹脂、アクリル樹脂やエポキシ樹脂などの合成樹脂又はプラスチックで形成されており、ケース(2)は、例えばモールド成型により作製される。ケース(2)は、収納しているスライドガラス(5)が無くなると廃棄されるが、業者に回収されて再利用されてもよい。
【００２３】
ケース(2)は、第１半体(3)と第２半体(4)を結合することで構成されている。図３(ａ)乃至図３(ｅ)は夫々、第１半体(3)の上面図、裏面図、下面図、右側面図(第１半体(3)の主面部の表側から見て右側)、及び左側面図(第１半体(3)の主面部の表側から見て左側)であり、図４(ａ)乃至図４(ｅ)は夫々、第２半体(4)の上面図、裏面図、下面図、右側面図(第２半体(4)の主面部の表側から見て右側)、及び左側面図(第２半体(4)の主面部の表側から見て左側)である。
【００２４】
第１半体(3)の略矩形の主面部(31)は、ケース(2)の前面部を構成しており、当該主面部(31)の上側と両側から、第１半体(3)の上面部(32)と、第１半体(3)の両側面部(33a)(33b)とが主面部(31)に対して垂直に延出している。また、第２半体(4)の略矩形の主面部(41)は、ケース(2)の背面部を構成しており、当該主面部(41)の上側と両側から、第２半体(4)の上面部(42)と、第２半体(4)の両側面部(43a)(43b)とが主面部(41)に対して垂直に延出している。第１半体(3)の上面部(32)と、第２半体(4)の上面部(42)とが組み合わされることで、ケース(2)の上面部が構成され、第１半体(3)の側面部(33a)(33b)の各々と、それに対応する第２半体(4)の側面部(43a)(43b)とが組み合わされることで、ケース(2)の両側面部が構成される。
【００２５】
第１半体(3)の側面部(33a)(33b)の各々の下端部からは、突部(34a)(34b)が内向きに突出しており、第２半体(4)の側面部(43a)(43b)の各々の下端部からは、突部(44a)(44b)が内向きに突出している。第１半体(3)の突部(34a)(34b)の各々と、それに対応する第２半体(4)の突部(44a)(44b)とが組み合わされることで、スライドガラス(5)の支持部(21a)(21b)が構成される。
【００２６】
第１半体(3)の側面部(33a)(33b)の各々には、ケース(2)の高さ方向に離間した一対の凸部(35)(35)が形成されており、第２半体(4)の側面部(43a)(43b)の各々には、これら凸部(35)(35)と係合する係合部(45)(45)が第２半体(4)の側面部(43a)(43b)の外縁を越えて延出するように形成されている。第２半体(4)の側面部(43a)(43b)の各々とそれに設けられた係合部(45)とは、一対の凸部(35)(35)に対応する一対の開口(46)(46)を規定しており、係合部(45)(45)が外側に広がるように弾性変形させられて、第１半体(3)の側面部(33a)(33b)の凸部(35)(35)がそれらに対応する開口(46)(46)に嵌め込まれることで、第１半体(3)と第２半体(4)が結合される。凸部(35)(35)の各々には、対応する係合部(45)の裏面と当接してそれを外側に広げるようなガイド面が形成されている。
【００２７】
第１半体(3)の側面部(33a)(33b)の各々の外縁には、凸条(36a)(36b)が形成されている。凸条(36a)(36b)は、それに対応する第１半体(3)の側面部(33a)(33b)の内面と突部(34a)(34b)の内面とに沿って形成されている。第２半体(4)の側面部(43a)(43b)の各々の外縁とそれに対応する突部(44a)(44b)の外縁の内側部分には、内向きに凹むように窪み(47a)(47b)が形成されている。第１半体(3)の凸条(36a)(36b)の各々が、それに対応する第２半体(4)の窪み(47a)(47b)に嵌められることで、第１半体(3)と第２半体(4)が強固に結合される。
【００２８】
第２半体(4)の窪み(47a)(47b)の底面は、第２半体(4)の上面部(42)の端面又は外縁と同平面内に配置されており、第２半体(4)の上面部(42)の端面は、第２半体(4)の側面部(43a)(43b)の端面又は外縁よりも主面部(41)側に位置している。これにより、第１半体(3)と第２半体(4)が組み合わされて、第２半体(4)の各側面部(43a)(43b)の端面が、対応する第１半体(3)の側面部(33a)(33b)の端面と当接すると、第１半体(3)と第２半体(4)により構成されたケース(2)の上面部には、保護シート(6)の一部をケース(2)の外部に出すために使用される細長いスリット(24)が形成される。スリット(24)が、第１半体(3)の上面部(32)の外縁と、第２半体(4)の上面部(42)の外縁とによって画定されることで、第１半体(3)の上面部(32)又は第２半体(4)の上面部(42)にスリット(24)を開口として形成する場合と比較して、第１半体(3)又は第２半体(4)の成型が容易になる。
【００２９】
第１半体(3)の両側面部(33a)(33b)の内面の間の距離と、第２半体(4)の両側面部(43a)(43b)の内面の間の距離とは、例えば、スライドガラス(5)の長さに対して１ｍｍから数百μｍ程度長くされる。また、第１半体(3)と第２半体(4)が組み合わされた状態において、第１半体(3)の主面部(31)の内面と、第２半体(4)の主面部(41)の内面との間の距離も、例えば、スライドガラス(5)の幅に対して１ｍｍから数μｍ程度長くされる。また、第１半体(3)の主面部(31)と第２半体(4)の主面部(41)の内面間の距離は、保護シート(6)の厚さの２倍よりもスライドガラス(5)の幅に対して長くされる。
【００３０】
第２半体(4)の一方の側面部(43b)には、外側に突出する凸条(48)が高さ方向に沿って形成されている。スライドガラス用プリンタには、凸条(48)が嵌まる溝(図示せず)が設けられており、当該溝に凸条(48)が嵌まることで、スライドガラス用カセット(1)がスライドガラス用プリンタにおいて位置決めされる。
【００３１】
保護シート(6)は、収納されている全てのスライドガラス(5)の長手方向に沿った両端面を覆うように配置されており、これによって、周囲の雰囲気がスライドガラス(5)の間を通ってスライドガラス(5)の主面間に入り込む事態が抑制される。スライドガラス(5)の短手方向に沿った両端面は、標本や試料が塗抹されるスライドガラス(5)の領域からは遠いので、保護シート(6)に覆われていなくともよい。保護シート(6)の両端部は、最下層にあるスライドガラス(5)の下面を覆うように内向きに折り込まれるのが好ましい。これにより、最下にあるスライドガラス(5)の汚れや傷が防止される。
【００３２】
保護シート(6)は、ポリエチレン樹脂などの合成樹脂で形成されている。本考案において保護シート(6)を形成する合成樹脂は特に限定されないが、ガスバリア性と防湿性に優れていることが好ましく、ポリビニルアルコール樹脂やポリプロピレン樹脂なども使用されてもよい。また、保護シート(6)には、ガスバリア性や防湿性を向上させるようなコーティングが施されてよい。
【００３３】
保護シート(6)の一部は、ケース(2)の上面部に開設されたスリット(24)を通ってケース(2)の内部空間から外方に延出した後に曲げられて、スリット(24)を通ってケース(2)の内部空間に戻されている。これによって、使用者が、保護シート(6)の一部を、つまり、ケース(2)の外部に出ている部分をつまんで引き上げることで、ケース(2)から保護シート(6)が抜脱される。スリット(24)は、収納されているスライドガラス(5)の長手方向に沿って、ケース(2)の上面部のほぼ中央を通るように開設されているのが好ましい。これにより、保護シート(6)の両端側の領域にほぼ均等に又は対称的に力が加わって、保護シート(6)の抜脱がスムーズに行える。
【００３４】
ケース(2)に格納されるスライドガラス(5)の総厚、つまり、積み重ねられたスライドガラス(5)の高さは、ケース(2)の支持部(21a)(21b)の上面からケース(2)の上面部の裏面までの距離よりも、例えば１ｃｍ程度短くされる。これは、スライドガラス用カセット(1)の作製時に、作業者が手でスライドガラス(5)をケース(2)内に収納するのに必要な空間を確保するためである。この空間を残したままにしておくと、スライドガラス用カセット(1)の運搬や保管時に、ケース(2)内でスライドガラス(5)が動いてばらける事態が起こる。クッション部材(7)は、このような事態を防止するためにケース(2)内に脱離可能に挿入されて、スライドガラス(5)の動きを規制すると共に、スライドガラス(5)に加わる衝撃を吸収する。
【００３５】
クッション部材(7)としては、例えば、直方体状のウレタンスポンジが使用されるが、本考案の作用効果が得られる限りにおいて、クッション部材(7)の材料は限定されず、発砲スチロールや合成ゴムなどで形成されたクッション部材(7)も使用されてもよい。クッション部材(7)は、積み重ねられたスライドガラス(5)をケース(2)の上面部に向かって押し上げるように、ケース(2)内に挿入されている。クッション部材(7)は、収縮した状態でケース(2)の開口を塞ぐように、図示を省略した接着テープによってケース(2)に固定される。スライドガラス(5)は、収縮したクッション部材(7)によってケース(2)の上面部に向かって付勢されて、最上にあるスライドガラス(5)の上側の主面は、保護シート(6)を介してケース(2)の上面部の裏面に押しつけられる。
【００３６】
スライドガラス用カセット(1)をスライドガラス用プリンタに装着する際に、クッション部材(7)はケース(2)から外される。接着テープをケース(2)から剥がしてクッション部材(7)を引き抜くことで、接着テープと共にクッション部材(7)がケース(2)から脱離する。クッション部材(7)が無くなることで、ケース(2)に収納されているスライドガラス(5)は、支持部(21a)(21b)によって支持される。図５は、クッション部材(7)を取った状態のスライドガラス用カセット(1)の斜視図であり、図６は、図５に示すＢ−Ｂ線を含む平面で破断して矢視したスライドガラス用カセット(1)の断面図である。
【００３７】
図５及び図６に示すように、クッション部材(7)が取られた後、スライドガラス用カセット(1)は、スライドガラス用プリンタに装着される。そして、ケース(2)の上面部から延出する保護シート(6)の一部を使用者が指でつまんで引き上げることで、保護シート(6)がケース(2)から抜脱される。図７は、保護シート(6)を完全に抜脱した状態を示している。図８は、図７に示すＣ−Ｃ線を含む平面で破断して矢視した断面図である。また、図７及び図８では、スライドガラス用プリンタの押し部材(8)によって、最下層のスライドガラス(5)が排出口(22)から排出される模様が示されている。
【００３８】
図１及び図２に示した未使用状態のスライドガラス用カセット(1)は、例えば、以下のように作製される。まず、第１半体(3)がその主面部(31)の裏面を上向きにした状態で水平に配置される。次に、第１半体(3)の主面部(31)を覆うように帯状の保護シート(6)が配置される。保護シート(6)は、中央付近の領域を除いて保護シート(6)の一端側の領域が第１半体(3)の主面部(31)の裏面を覆うように、且つ保護シート(6)の他端側の領域が、第１半体(3)の上面部(32)を超えて延びるように配置される。
【００３９】
次に、重ね合わされたスライドガラス(5)の集まりが、これらスライドガラス(5)の長手方向に沿った一方の端面が第１半体(3)の主面部(31)の裏面上の保護シート(6)と接するように載置される。保護シート(6)の一端側の端部は内向きに曲げられて、最下、つまり突部(34a)(34b)に最も近いスライドガラス(5)における突部(34a)(34b)側の主面を覆うように配置される。
【００４０】
次に、クッション部材(7)が、図３にて破線で示すように第１半体(3)の突部(34a)(34b)の間に詰め込まれる。クッション部材(7)は、スライドガラス(5)の集まりを第１半体(3)の上面部(32)に向かって押し上げるように配置される。上面部(32)とクッション部材(7)で挟持されることで、スライドガラス(5)と保護シート(6)は、安定に配置される。
【００４１】
次に、保護シート(6)が曲げられて、保護シート(6)の他端側の領域は、重ね合わされたスライドガラス(5)の長手方向に沿った他方の端面の上に配置される。保護シート(6)の他端側の端部は内向きに曲げられて、保護シート(6)の一端側の端部と共に、突部(34a)(34b)に最も近いスライドガラス(5)の突部(34a)(34b)側の主面を覆うよう配置される(図２参照)。保護シート(6)の中央領域は、第１半体(3)の上面部から外方に延びて、第１半体(3)に向かって曲げ戻される。
【００４２】
次に、第２半体(4)を第１半体(3)と結合させることで、ケース(2)が構成されて、図１及び図２に示したスライドガラス用カセット(1)が完成する。第２半体(4)の主面部(41)に押されることで、保護シート(6)の他端側の領域は、スライドガラス(5)の長手方向に沿った他方の端面に近接して配置される。保護シート(6)の中央領域は、ケース(2)の上面部に開設されたスリット(24)を通ってケース(2)の外方に延出した後に曲げられて、スリット(24)を通ってケース(2)の内部空間に戻るように配置される。
【００４３】
上記実施例の説明は、本考案を説明するためのものであって、実用新案登録請求の範囲に記載の考案を限定し、或いは範囲を減縮する様に解すべきではない。また、本考案の各部構成は上記実施例に限らず、実用新案登録請求の範囲に記載の技術的範囲内で種々の変形が可能であることは勿論である。
【符号の説明】
【００４４】
(1)   スライドガラス用カセット
(2)   ケース
(21a)(21b)  支持部
(22)  排出口
(24)  スリット
(3)   第１半体
(31)  主面部
(32)  上面部
(33a)(33b)  側面部
(34a)(34b)  突部
(35)  凸部
(36a)(36b)  凸条
(4)   第２半体
(41)  主面部
(42)  上面部
(43a)(43b)  側面部
(44a)(44b)  突部
(45)  係合部
(46)  開口
(47a)(47b)  窪み
(5)   スライドガラス
(6)   保護シート
(7)   クッション部材
【図１】
0003185637.tif 000003
【図２】
0003185637.tif 000004
【図３】
0003185637.tif 000005
【図４】
0003185637.tif 000006
【図５】
0003185637.tif 000007
【図６】
0003185637.tif 000008
【図７】
0003185637.tif 000009
【図８】
0003185637.tif 000010